(57)【要約】【課題】大規模な装置を用いることなく、効率よく顧客を捌くことができるようにする。【解決手段】データを入力する入力手段として、第１及び第２の入力手段（例えば、タッチパネル１０９、キーボード１１０、コードデータ用のスキャナ１１１等）を設け、商品販売データ処理の一部として、第１の入力手段１１１ａ等によって入力された商品データに基づく商品販売情報と第２の入力手段１１１ｂ等によって入力された商品データに基づく商品販売情報とを右側表示と左側表示とに分けてオペレータ用表示器１０７と顧客用表示器１２０とに左右反対に表示するようにした。これにより、第１の入力手段１１１ａ等、及びこれに対応する側の表示を一人に顧客に割り当て、第２の入力手段１１１ｂ等、及びこれに対応する側の表示をもう一人の別の顧客に割り当てることで、一台の商品販売データ処理装置によって二人の顧客を捌くことが可能となる。【選択図】    図１
2004234575.tif 000002
【特許請求の範囲】
【請求項１】
入力された商品データに基づいて商品販売データ処理を実行する商品販売データ処理装置において、
データを入力する第１の入力手段と、
データを入力する第２の入力手段と、
オペレータに対して情報を表示するオペレータ用表示器と、
顧客に対して情報を表示する顧客用表示器と、
商品販売データ処理の一部として、前記第１の入力手段によって入力された商品データに基づく商品販売情報と前記第２の入力手段によって入力された商品データに基づく商品販売情報とを右側表示と左側表示とに分けて前記オペレータ用表示器と前記顧客用表示器とに左右反対に表示する表示手段と、
を具備することを特徴とする商品販売データ処理装置。
【請求項２】
前記表示手段は、商品データに基づく商品販売情報の右側表示については前記オペレータ用表示器及び前記顧客用表示器の表示領域右側に寄せた右側表示領域に表示し、商品データに基づく商品販売情報の左側表示については前記オペレータ用表示器及び前記顧客用表示器の表示領域左側に寄せた左側表示領域に表示することを特徴とする請求項１記載の商品販売データ処理装置。
【請求項３】
前記第１の入力手段は第１の締めキーを含み、前記第２の入力手段は第２の締めキーを含み、前記第１の締めキーが押下された場合には前記第１の入力手段によって入力された商品データに基づく商品販売データ処理を実行し、前記第２の締めキーが押下された場合には前記第２の入力手段によって入力された商品データに基づく商品販売データ処理を実行する締め手段を具備することを特徴とする請求項１又は２記載の商品販売データ処理装置。
【請求項４】
左右に区分けする商品販売データ処理と左右に区分けしない商品販売データ処理とが切り替え自在であることを特徴とする請求項１、２又は３記載の商品販売データ処理装置。
【請求項５】
オペレータから見て右側に並ぶ顧客が購入する商品の商品データについては前記第１の入力手段と前記第２の入力手段とのうち右側に配置する入力手段によってその商品情報を入力可能として前記表示手段は入力された商品データに基づく商品販売情報を前記オペレータ用表示器に右側表示して前記顧客用表示器に左側表示し、オペレータから見て左側に並ぶ顧客が購入する商品の商品データについては前記第１の入力手段と前記第２の入力手段とのうち左側に配置する入力手段によってその商品情報を入力可能として前記表示手段は入力された商品データに基づく商品販売情報を前記オペレータ用表示器に左側表示し前記顧客用表示器に右側表示することを特徴とする請求項１、２、３又は４記載の商品販売データ処理装置。
【請求項６】
前記表示手段は、前記顧客用表示器にコマーシャル情報を表示することを特徴とする請求項１、２、３、４又は５記載の商品販売データ処理装置。
【請求項７】
前記コマーシャル情報は、右側表示と左側表示とに分けて表示される前記第１の入力手段によって入力された商品データに基づく商品販売情報と前記第２の入力手段によって入力された商品データに基づく商品販売情報との間に表示されることを特徴とする請求項６記載の商品販売データ処理装置。
【請求項８】
前記オペレータ用表示器と前記顧客用表示器とは、その表示方向を反対方向に向けて配置されていることを特徴とする請求項１、２、３、４、５、６又は７記載の商品販売データ処理装置。
【発明の詳細な説明】
【０００１】
【発明の属する技術分野】
本発明は、ＥＣＲ（Ｅｌｅｃｔｒｏｎｉｃ  Ｃａｓｈ  Ｒｅｇｉｓｔｅｒ）やＰＯＳ（Ｐｏｉｎｔ  ｏｆ  Ｓａｌｅｓ）ターミナル等の商品販売データ処理装置に関する。
【０００２】
【従来の技術】
ＥＣＲ（Ｅｌｅｃｔｒｏｎｉｃ  Ｃａｓｈ  Ｒｅｇｉｓｔｅｒ）やＰＯＳ（Ｐｏｉｎｔ  ｏｆ  Ｓａｌｅｓ）ターミナル等の商品販売データ処理装置や、このような商品販売データ処理装置と一緒に用いられる釣り銭機は、一般的には、一顧客一台という態様で用いられることが多い。特に、近年著しい展開を遂げているコンビニエンスストアでは、一顧客一台という商品販売データ処理装置の使用態様が一般化している。
【０００３】
これに対して、一人のキャッシャが複数台の商品販売データ処理装置を扱うようなシステム（例えば特許文献１〜２）や、逆に、一台の商品販売データ処理装置に複数人が対応付けられるいわゆる二人制と呼ばれる顧客応対方式も、従来から広く用いられたり実施されたりしている。
【０００４】
一人のキャッシャが複数台の商品販売データ処理装置を扱うようなシステムは、商品データの読み取りを顧客自らに行わせるセルフスキャン方式を採用し、キャッシャは専ら顧客との間での決済作業（金銭の授受等）や決済操作（売上登録操作等）に専念する。
【０００５】
いわゆる二人制と呼ばれる顧客応対方式は、一台の商品販売データ処理装置を二人で使用する方式である。この方式では、二人の者の役割をオペレータとキャッシャとに分担する。役割分担の一例として、オペレータは商品データの読み取りのためのスキャン動作に従事し、キャッシャは決済作業や決済動作に従事する。役割分担の別の一例としては、オペレータは購入商品の袋詰め作業に従事し、キャッシャは商品販売データ処理装置の作業に従事する。
【０００６】
【特許文献１】
特開平０７−０２１４６３号公報
【特許文献２】
特開平０７−２１０７５５号公報
【０００７】
【発明が解決しようとする課題】
従来技術の項では、一顧客一台という商品販売データ処理装置の一般的な使用態様の他に、一人のキャッシャが複数台の商品販売データ処理装置を扱うようなシステムや、逆に、一台の商品販売データ処理装置に複数人が対応付けられるいわゆる二人制と呼ばれる顧客応対方式についても紹介した。
【０００８】
顧客を効率よく捌くという観点からすると、一人のキャッシャが複数台の商品販売データ処理装置を扱うようなシステムも、いわゆる二人制と呼ばれる顧客応対方式も、一顧客一台という商品販売データ処理装置の一般的な使用態様との比較において、ある程度の効率化が可能である。
【０００９】
しかしながら、一人のキャッシャが複数台の商品販売データ処理装置を扱うようなシステムでは、商品データをスキャニングするためのレーンが二本必要で商品販売データ処理装置も二台必要であることから、どうしてもシステム規模が大きくなってしまう。そして、繁忙時には効率よく顧客を捌くことができる反面、繁忙時以外の時には一本分のレーンと一個の商品販売データ処理装置とが使用されないため、スペース効率が高いとは言えない。
【００１０】
また、いわゆる二人制と呼ばれる顧客応対方式では、オペレータとキャッシャとに役割分担することで顧客を効率よく捌いているだけであるので、例えば二人の顧客のための商品販売データ処理を並列に実行するようなことはできない。このため、ある程度は効率的に顧客を捌くことはできるが、例えば効率性を二倍にするというような大きな効果は見込めない。
【００１１】
加えて、例えばコンビニエンスストアでの使用態様を考慮すると、一人のキャッシャが複数台の商品販売データ処理装置を扱うようなシステムも、いわゆる二人制と呼ばれる顧客応対方式も、いずれも適当な使用態様とは言えない。
【００１２】
本発明の目的は、大規模な装置を用いることなく、効率よく顧客を捌くことができる商品販売データ処理装置を得ることである。
【００１３】
【課題を解決するための手段】
本発明は、入力された商品データに基づいて商品販売データ処理を実行する商品販売データ処理装置において、データを入力する第１の入力手段（例えば、コードデータ用のスキャナ、キーボード、タッチパネル等）と、データを入力する第２の入力手段（例えば、コードデータ用のスキャナ、キーボード、タッチパネル等）と、オペレータに対して情報を表示するオペレータ用表示器と、顧客に対して情報を表示する顧客用表示器とを備え、商品販売データ処理の一部として、前記第１の入力手段によって入力された商品データに基づく商品販売情報と前記第２の入力手段によって入力された商品データに基づく商品販売情報とを右側表示と左側表示とに分けて前記オペレータ用表示器と前記顧客用表示器とに左右反対に表示するようにした。
【００１４】
したがって、第１の入力手段及びこれに対応する側の表示を一人に顧客に割り当て、第２の入力手段及びこれに対応する側の表示をもう一人の別の顧客に割り当てることが可能となる。これにより、一台の商品販売データ処理装置によって二人の顧客を捌くことが可能となる。
【００１５】
【発明の実施の形態】
本発明の実施の一形態を図１ないし図２８に基づいて説明する。本実施の形態は、コンビニエンスストア等で使用されるＰＯＳ端末１０１、このＰＯＳ端末１０１が載置される硬貨入出金装置２０１及び紙幣入出金装置３０１を備えたシステムへの適用例である。そこで、ＰＯＳ端末１０１、硬貨入出金装置２０１及び紙幣入出金装置３０１についてそれぞれ別個に説明し、最後にシステム全体の使用形態について言及することとする。
【００１６】
〔商品販売データ処理としてのＰＯＳ端末１０１〕
まず、ＰＯＳ端末１０１について図１ないし図１６を参照して説明する。
【００１７】
図１は、ＰＯＳ端末１０１、硬貨入出金装置２０１及び紙幣入出金装置３０１の外観を示す斜視図である。
【００１８】
本実施の形態のＰＯＳ端末１０１は、一台で、一人のオペレータが一人の顧客に応対する使用態様と二人のオペレータが二人の顧客にそれぞれ応対する使用態様との二種類の使用態様を許容する。そこで、ＰＯＳ端末１０１は、商品販売データ処理に際して、データの入力、データの表示、その他のデータ処理について、一台二役としての機能を奏する。
【００１９】
図１に示すように、このＰＯＳ端末１０１における本体ケース１０２の上面には、操作者側から見て左側に、プリンタとしてのサーマルプリンタ１０３（図５参照）を内部に収容するプリンタカバー１０４が設けられており、そのプリンタカバー１０４にはサーマルプリンタ１０３から印字発行されるレシート１０５（図１６参照）を発行するレシート発行口１０６が形成されている。また、ＰＯＳ端末１０１における本体ケース１０２の上部には、ＬＣＤ（Ｌｉｑｕｉｄ  Ｃｒｙｓｔａｌ  Ｄｉｓｐｌａｙ）であってチルト自在なオペレータ用表示器１０７と図示しない鍵によって切り替え操作されるモードキー１０８とが設けられている。モードキー１０８は、図示しない鍵によって切り替えられてＰＯＳ端末１０１の動作モード（登録、点検、清算等）を切り替えるための入力部である。
【００２０】
図２は、キーボードの平面図である。
【００２１】
本実施の形態のＰＯＳ端末１０１では、データを入力する入力手段として、タッチパネル１０９、キーボード１１０及びバーコードスキャナ１１１を有する。
【００２２】
タッチパネル１０９は、オペレータ用表示器１０７の表示面上に積層配置されている。タッチパネル１０９付きのオペレータ用表示器１０７は、オペレータ用表示器１０７に表示されるボタン等とタッチパネル１０９の座標との位置関係の同期をとることによって、キーボードと同様の機能を奏することになる。
【００２３】
キーボード１１０は、図２に示すように、扁平円形筐体状のキーボードハウジング１１２の上面に、テンキー１１３、クリアキー１１４、エンターキー１１５、及び客層キー１１６が配列されて構成されている。客層キー１１６は、１０種類の客層の入力が可能であり、締めキーを兼ねている。このようなキーボード１１０は、無線によってＰＯＳ端末１０１側に情報を送信する。
【００２４】
バーコードスキャナ１１１は、図示しない商品に付されたバーコードを光学的に読み取り可能な構造のものであり、本実施の形態では、片手で操作可能なハンディタイプのバーコードスキャナ１１１が用いられている。このようなバーコードスキャナ１１１は、無線によってＰＯＳ端末１０１側に情報を送信する。
【００２５】
ここで、前述したように、本実施の形態のＰＯＳ端末１０１は、一人のオペレータが一人の顧客に応対する使用態様と二人のオペレータが二人の顧客にそれぞれ応対する使用態様との二種類の使用態様を許容する。そこで、本実施の形態では、二人のオペレータが二人の顧客にそれぞれ応対する使用態様において、オペレータ用表示器１０７の表示が左右に二分割される。そして、オペレータ用表示器１０７の表示がそのような左右二分割される場合には、タッチパネル１０９の入力機能も右用と左用とに分離されることになる。このようなタッチパネル１０９の入力機能に関する左右の分離は、後述するソフトウェア制御によって実行される。また、キーボード１１０及びバーコードスキャナ１１１については、右用と左用とに同一のものが二つ設けられている。オペレータがＰＯＳ端末１０１に向かって右側に置かれるキーボード１１０及びバーコードスキャナ１１１は右用、オペレータがＰＯＳ端末１０１に向かって左側に置かれるキーボード１１０及びバーコードスキャナ１１１は左用である。
【００２６】
こうして、タッチパネル１０９、キーボード１１０及びバーコードスキャナ１１１は、右用と左用とに役割分担されることになる。ここでは、便宜上、右に割り当てられてタッチパネル１０９の入力領域、右用のキーボード１１０及び右用のバーコードスキャナ１１１を第１の入力手段１０９ａ、１１０ａ、１１１ａと呼び、左に割り当てられたタッチパネル１０９、左用のキーボード１１０及び左用のバーコードスキャナ１１１を第２の入力手段１０９ｂ、１１０ｂ、１１１ｂと呼ぶことにする。そして、便宜上、第１の入力手段を構成するキーボード１１０ａが含んでいる締めキーとして機能する客層キー１１６を第１の締めキー１１６ａと呼び、第２の入力手段を構成するキーボード１１０ｂが含んでいる締めキーとして機能する客層キー１１６を第２の締めキー１１６ｂと呼ぶことにする。
【００２７】
図３は、ＰＯＳ端末１０１、硬貨入出金装置２０１及び紙幣入出金装置３０１の外観の一部を示す斜視図である。
【００２８】
本実施の形態のＰＯＳ端末１０１は、キーボード１１０、バーコードスキャナ１１１、及びレシート発行口１０６から発行されるレシート１０５が右用なのか左用なのかを示すためのＬＥＤからなる左右表示部１１７、１１８、１１９を備えている。つまり、キーボード１１０は左右表示部１１７を備え、この左右表示部１１７は、右用である第１のキーボード１１０ａには右用である第１の左右表示部１１７ａ、左用である第２のキーボード１１０ｂには左用である第２の左右表示部１１７ｂが割り当てられている。また、バーコードスキャナ１１１は左右表示部１１８を備え、この左右表示部１１８は、右用である第１のバーコードスキャナ１１１ａには右用である第１の左右表示部１１８ａが割り当てられ、左用である第２のバーコードスキャナ１１１ｂには左用である第２の左右表示部１１８ｂが割り当てられている。そして、レシート発行口１０６の近傍には、レシート発行口１０６の右側に位置する第１の左右表示部１１９ａと左側に位置する第２の左右表示部１１９ｂとから構成される左右表示部１１９が配設されている。ここで、一例として、第１の左右表示部１１７ａ、１１８ａ、１１９ａは緑色に発光するＬＥＤによって構成され、第２の左右表示部１１７ｂ、１１８ｂ、１１９ｂは橙色に発光するＬＥＤによって構成されている。
【００２９】
図４は、ＰＯＳ端末１０１の顧客側から見た背面図である。
【００３０】
図４に示すように、ＰＯＳ端末１０１の背面には、ＬＣＤ（Ｌｉｑｕｉｄ  Ｃｒｙｓｔａｌ  Ｄｉｓｐｌａｙ）からなる顧客用表示器１２０が設けられている。また、ＰＯＳ端末１０１の背面には、顧客用表示器１２０の中央下部に、非接触カード用のスキャナパッド１２１も設けられている。
【００３１】
ここで、前述したように、本実施の形態のＰＯＳ端末１０１は、一人のオペレータが一人の顧客に応対する使用態様と二人のオペレータが二人の顧客にそれぞれ応対する使用態様との二種類の使用態様を許容する。そこで、本実施の形態では、二人のオペレータが二人の顧客にそれぞれ応対する使用態様において、オペレータ用表示器１０７のみならず、顧客用表示器１２０の表示も左右に二分割される。
【００３２】
続いて、このような構成のＰＯＳ端末１０１に内蔵される各部の電気的接続について図５を参照して説明する。図５は、ＰＯＳ端末１０１に内蔵される各部の電気的接続を示すブロック図である。
【００３３】
図５に示すように、本実施の形態のＰＯＳ端末１０１は、Ｍｉｃｒｏｃｏｍｐｕｔｅｒ（以下、マイコンという。）１５１を内蔵し、このマイコン１５１が各部を駆動制御する。マイコン１５１は、各部を集中的に制御するＣＰＵ（Ｃｅｎｔｒａｌ  ＰｒｏｃｅｓｓｉｎｇＵｎｉｔ）１５２に、アドレスバス、データバス等のバスライン１５３を介して、起動プログラム等の固定的データを予め格納するＲＯＭ（Ｒｅａｄ  Ｏｎｌｙ  Ｍｅｍｏｒｙ）１５４と、売上バッファや印字バッファ等の各種バッファやフラグ領域を構成して各種データを書き換え自在に格納するＲＡＭ（Ｒａｎｄｏｍ  Ａｃｃｅｓｓ  Ｍｅｍｏｒｙ）１５５と、日付や時刻を計時するタイマ１５６とが接続されて構成されている。なお、ＲＡＭ１５５は、バッテリ（図示せず）によってバックアップされている。
【００３４】
また、ＣＰＵ１５２に接続されたバスライン１５３には記憶媒体であるＨＤＤ（ＨａｒｄＤｉｓｋ  Ｄｒｉｖｅ）１５７が接続されており、このＨＤＤ１５７にはマイコン１５１を動作させる制御プログラムの他に、各種データファイルも格納されている。各種データファイルとしては、商品マスタファイル、売上ファイル、画面データファイル等が格納されている。特に図示しないが、商品マスタファイルは、商品の商品コード毎に商品名、単価、部門コード等を対応付けて記憶保持するファイル構造を備える。売上ファイルは、売上明細や売上金額等の商品売上履歴を記憶保持するファイル構造を備える。画面データファイルは、オペレータ用表示器１０７や顧客用表示器１２０にそれぞれ表示する各種の表示データをその表示画面の一画面である“ページ”単位で記憶保持するファイル構造を備える。
【００３５】
ＨＤＤ１５７に格納された制御プログラムは、ＰＯＳ端末１０１の起動時に商品マスタファイル等とともにＲＡＭ１５５に書き込まれ、これによってマイコン１５１による各部の駆動制御が可能な状態となる。次に、マイコン１５１によって駆動制御される各部を説明する。
【００３６】
オペレータ用表示器１０７は、オペレータ用表示コントローラ１５８を介してバスライン１５３に接続され、マイコン１５１からの表示データがオペレータ用表示コントローラ１５８に入力されると、オペレータ用表示コントローラ１５８に駆動されて所定事項を表示する。
【００３７】
タッチパネル１０９は、パネルコントローラ１５９を介してバスライン１５３に接続され、パネルコントローラ１５９の動作によって、操作者によりタッチされたパネル上のＸＹ座標の位置を認識して座標データ取得し、この取得された座標データに応じた信号をマイコン１５１に出力する。マイコン１５１に信号が入力されると、マイコン１５１は信号に基づいた所定の処理を実行する。
【００３８】
顧客用表示器１２０は、顧客用表示コントローラ１６０を介してバスライン１５３に接続され、マイコン１５１からの客側表示データが顧客用表示コントローラ１６０に入力されると、顧客用表示コントローラ１６０に駆動されて所定事項を表示する。
【００３９】
ここで、二人のオペレータが二人の顧客にそれぞれ応対する使用態様においては、オペレータ用表示器１０７及び顧客用表示器１２０の表示が左右に二分割され、タッチパネル１０９の入力機能も右用と左用とに分離されることは前述した通りである。このような二分割処理は、情報を表示しようとするオペレータ用表示器１０７及び顧客用表示器１２０の座標位置を制御し、データを入力するタッチパネル１０９の座標位置を制御することによって容易に実現される。もっとも、特にオペレータ用表示器１０７及び顧客用表示器１２０に関しては、結果的に情報が二分割されて表示されれば良いため、そのような情報表示を実現させ得る技術、例えばポップアップ表示技術など、各種の技術を用いて二分割表示を行なうことが可能である。
【００４０】
モードキー１０８は、モードキーコントローラ１６１を介してバスライン１５３に接続され、モードキーコントローラ１６１の動作によって切り替え位置に応じた信号をマイコン１５１に入力する。マイコン１５１は、モードキー１０８からの出力信号に応じて、ＰＯＳ端末１０１の動作モードを登録モード、設定モード、精算モード、点検モード等の各業務モードに設定する。
【００４１】
ＰＯＳ端末１０１の背面側に設けられた非接触カード用のスキャナパッド１２１は、スキャナパッドコントローラ１６２を介してバスライン１５３に接続され、スキャナパッドコントローラ１６２の動作によってマイコン１５１に対して被接触型カードに記憶された情報を出力する。
【００４２】
ＰＯＳ端末１０１に内蔵されたサーマルプリンタ１０３は、プリンタコントローラ１６３を介してバスライン１５３に接続され、マイコン１５１によって駆動制御される。さらに、このサーマルプリンタ１０３には、カッタ部（図示せず）が内蔵されており、このカッタ部もマイコン１５１によって駆動制御される。これにより、サーマルプリンタ１０３は、図示しない長尺紙であるレシート用紙にレシートとしての必要事項を印字し、これを切断してレシート発行口１０６よりレシートとして発行するレシートプリンタの機能を発揮する。
【００４３】
サーマルプリンタ１０３におけるレシート発行口１０６の近傍に配置された第１の左右表示部１１９ａと第２の左右表示部１１９ｂとから構成される左右表示部１１９（ＬＥＤ）は、ＬＥＤコントローラ１６４を介してバスライン１５３に接続され、マイコン１５１によって駆動制御される。
【００４４】
次いで、キーボード１１０及びバーコードスキャナ１１１は、前述したように、ＰＯＳ端末１０１のマイコン１５１に無線を介してデータを送信する。そこで、本実施の形態では、マイコン１５１にバスライン１５３を介して無線通信インターフェース１６５が接続され、この無線通信インターフェース１６５に無線通信回路１６６が接続されている。無線通信回路１６６は、第１の入力手段を構成する第１のキーボード１１０ａ及び第１のバーコードスキャナ１１１ａと、第２の入力手段を構成する第２のキーボード１１０ｂ及び第２のバーコードスキャナ１１１ｂとの間での無線通信を可能とする。そこで、それらの第１のキーボード１１０ａ、第１のバーコードスキャナ１１１ａ、第２のキーボード１１０ｂ及び第２のバーコードスキャナ１１１ｂも、それぞれ図示しない無線通信回路を内蔵しており、それぞれある特定の周波数帯を使用してＰＯＳ端末１０１側の無線通信回路１６６と無線通信可能となっている。なお、キーボード１１０及びバーコードスキャナ１１１とＰＯＳ端末１０１側との間の無線通信については、既存の技術なのでその詳細は省略する。
【００４５】
また、バスライン１５３には通信インターフェース１６７も接続され、マイコン１５１によって制御される。この通信インターフェース１６７は、ホストコンピュータ等の外部機器が接続されてこの外部機器とＬＡＮ回線を介してマイコン１５１との間でのデータの送受信を実現可能としたり、前述した硬貨入出金装置２０１及び紙幣入出金装置３０１が接続されてこれらの機器とデータの送受信を可能としたりする。
【００４６】
さらに、ＰＯＳ端末１０１には、ＲＯＭ１５４及びＲＡＭ１５５とは別に、ＶＲＡＭ（Ｖｉｄｅｏ  Ｒａｎｄｏｍ  Ａｃｃｅｓｓ  Ｍｅｍｏｒｙ）１６８がバスライン１５３を介してマイコン１５１に接続されている。ＶＲＡＭ１６８は、一例として、ＨＤＤ１５７の画面データファイルに記憶されている“ページ”単位の表示データに基づき、商品マスタファイルや商品画像ファイルから抽出されたその表示データに含まれる品名、単価、画像データ等を高速でビットマップ展開し、オペレータ用表示コントローラ１５８及び顧客用表示コントローラ１６０に対して出力する。そして、オペレータ用表示コントローラ１５８及び顧客用表示コントローラ１６０に対して出力された表示データは、オペレータ用表示器１０７及び顧客用表示器１２０において表示されることになる。
【００４７】
次に、ＰＯＳ端末１０１のＨＤＤ１５７に格納された制御プログラムがマイコン１５１に実行させる機能について、図６ないし図８に示すフローチャートに基づいて説明する。この場合、図９及び図１０に示すオペレータ用表示器１０７の表示領域に表示される表示画面の模式図、及び図１１ないし図１３に示す顧客用表示器１２０の表示領域に表示される表示画面の模式図を参照し、必要に応じて、図１ないし図４も適宜用いる。
【００４８】
起動後のＰＯＳ端末１０１では、モードキー１０８の切り替え位置に応じて動作モードが選択される。つまり、モードキー１０８の切り替え位置によって発生する出力信号に応じ、マイコン１５１がＰＯＳ端末１０１の動作モードを登録モード、設定モード、精算モード、点検モード等に設定する。本実施の形態においては、登録モードを除く各モードの処理として、従来のＰＯＳ端末によって行なわれる処理と同様の処理についてはその説明を省略する。
【００４９】
これに対して、本実施の形態では、登録モードにおいて、一人のオペレータが一人の顧客に応対する使用態様に対応する単独モードと、二人のオペレータが二人の顧客にそれぞれ応対する使用態様に対応するデュアルモードとの二種類の動作モードが許容される。
【００５０】
図６は、登録モードにおける単独モードとデュアルモードとのモード選択処理を示すフローチャートである。
【００５１】
モードキー１０８の切り替え操作によって、ＰＯＳ端末１０１の動作モードが登録モードに設定されている場合、オペレータ用表示器１０７に表示される初期画面表示には、単独使用とデュアル使用との二種類を選択可能とする選択画面が表示される（図示せず）。そこで、単独使用が選択されると（ステップＳ１０１のＹ）、マイコン１５１はＰＯＳ端末１０１を単独モードにモード設定し（ステップＳ１０２）、デュアルモードが選択されると（ステップＳ１０１のＮ）、マイコン１５１はＰＯＳ端末１０１をデュアルモードにモード設定する（ステップＳ１０３）。つまり、本実施の形態のＰＯＳ端末１０１では、単独モードとデュアルモードとが選択可能である。
【００５２】
図７は、単独モードでの処理を示すフローチャートである。また、図１０は、単独モードでのオペレータ用表示器１０７における画面表示例を示す模式図であり、図１１は、単独モードでの顧客用表示器１２０における画面表示例を示す模式図である。
【００５３】
単独モードでは、まず、マイコン１５１は、第１の入力手段を構成するキーボード１０１ａ及びバーコードスキャナ１１１ａにそれらの第１の左右表示部１１７ａ、１１８ａの点灯信号を送信し、それらの第１の左右表示部１１７ａ、１１８ａのみ点灯させる（ステップＳ２０１）。これにより、第１の左右表示部１１７ａ、１１８ａを構成するＬＥＤが緑色に発光し、オペレータには、二つ設けられているキーボード１０１ａ及びバーコードスキャナ１１１ａのうち、第１の入力手段を構成するキーボード１０１ａ及びバーコードスキャナ１１１ａの方のみ使用可能であることが報知される。
【００５４】
次いで、マイコン１５１は、オペレータ用表示器１０７及び顧客用表示器１２０を全画面表示に設定する（ステップＳ２０２）。全画面表示というのは、オペレータ用表示器１０７及び顧客用表示器１２０に、一人の顧客に対する取引情報のみを表示するような表示形態を意味する。このような単独モードでは、ＨＤＤ１５７に格納された画像データファイルから呼び出した登録処理用の画面がオペレータ用表示器１０７及び顧客用表示器１２０に全画面表示される。
【００５５】
図１０は、オペレータ用表示器１０７における全画面表示の一例であり、図１１は、単独モードでの顧客用表示器１２０における画面表示例を示す模式図である。
【００５６】
図１０に示すように、オペレータ用表示器１０７における全画面表示は、日付時刻や責任者等のような書誌情報を示す書誌情報欄１０７ａ、８種類のＰＬＵグループをＰＬＵグループタグＡとして表示するＰＬＵグループ欄１０７ｂ、商品情報を表示する商品情報欄１０７ｃ、購入合計金額と消費税と預かり金額と釣り銭金額とを表示する取引情報欄１０７ｄ、及び割引入力欄１０７ｅを含む。
【００５７】
マイコン１５１は、購入される商品の購入履歴を商品情報欄１０７ｃに表示し、その購入履歴によって決定される購入合計金額、消費税、預かり金額及び釣り銭金額を取引情報欄１０７ｄに表示する。また、マイコン１５１は、ＰＬＵグループタグＡがタッチパネル１０９でタッチ選択された場合には、そのＰＬＵグループが含む商品の商品情報をポップアップ表示する。ポップアップ表示された商品の商品情報がタッチパネル１０９でタッチ選択されると、その商品の商品コードが入力され、取引情報欄１０７ｄの表示が更新される。商品情報欄１０７ｃに表示される情報は、その商品情報欄１０７ｃに含まれているスクロールキーＢによってスクロール可能である。
【００５８】
また、割引入力欄１０７ｅは、ビール券、クーポン券及び商品券が割り当てられたタグＣと、タグＣで選択された種類のビール券、クーポン券又は商品券の金額、例えばタグＣでビール券が選択された場合には５００円ビール券、１０００円ビール券、…というようなビール券の金額を示す６列３行の金額キーＤとを有する。金額キーＤは、割引入力欄１０７ｅに表示されるスクロールキーＥによってスクロールされる。マイコン１５１は、タグＣで選択されたビール券、クーポン券又は商品券の金額を金額キーＤに表示し、金額キーＤがタッチパネル１０９でタッチ選択されると、選択された金額を購入金額から減額し、取引情報欄１０７ｄの表示を更新する。
【００５９】
図１１に示すように、顧客用表示器１２０における全画面表示は、日付時刻を示す日付時刻欄１２０ａ、直近に取引された商品の商品名、数量及び単価を表示するカレント表示欄１２０ｂ、購入する商品の履歴を表示する購入履歴欄１２０ｃ、購入合計金額と消費税と預かり金額と釣り銭金額とを表示する取引情報欄１２０ｄ、コマーシャル情報としてのコマーシャルメッセージを表示するコマーシャルメッセージ欄１２０ｅ、及びその他のメッセージを表示するメッセージ欄１２０ｆを含む。
【００６０】
次いで、マイコン１５１は、顧客用表示器１２０のコマーシャルメッセージ欄１２０ｅに、コマーシャルメッセージを表示出力する（ステップＳ２０３）。コマーシャルメッセージは、例えば通信インターフェース１６７を介して外部機器から取得したコマーシャルメッセージの静止画像又は動画像を顧客用表示器１２０のコマーシャルメッセージ欄１２０ｅに表示出力するようにしても、例えばＨＤＤ１５７に予め記憶保存しておいたコマーシャルメッセージの静止画像又は動画像を顧客用表示器１２０のコマーシャルメッセージ欄１２０ｅに表示出力するようにしても、いずれでも良い。
【００６１】
次いで、マイコン１５１は、商品コード入力に待機する（ステップＳ２０４）。商品コード入力は、第１の入力手段を構成するバーコードスキャナ１１１ａによる商品に付されたバーコードのスキャナ入力又はキーボード１１０ａによる商品コードのキー入力によって実行される。その他、オペレータ用表示器１０７に表示される商品コードの入力を許容する項目に対応する位置でのタッチパネル１０９によるタッチ入力によっても商品コードの入力が可能である。
【００６２】
商品コードの入力があったと判定された場合（ステップＳ２０４のＹ）、ＲＡＭ１５５の売上バッファにおけるレジスト領域に入力された商品コードを一時的にレジストして商品データを蓄積する処理がマイコン１５１によって実行される（ステップＳ２０５）。そして、取引データ計算が実行され（ステップＳ２０６）、オペレータ用表示器１０７及び顧客用表示器１２０の画面表示が更新される（ステップＳ２０７）。より詳しくは、マイコン１５１は、オペレータ用表示器１０７の商品情報欄１０７ｃ及び取引情報欄１０７ｄの表示内容を更新し、顧客用表示器１２０のカレント表示欄１２０ｂ、購入履歴欄１２０ｃ及び取引情報欄１２０ｄの表示内容を更新する。
【００６３】
その後、マイコン１５１は、預かり金額の入力（ステップＳ２０８のＹ）があるまで商品コード入力（ステップＳ２０４）に待機する。預かり金額の入力は、実際の取引において、顧客から決済のための金額を預かったオペレータがキーボード１１０中のエンターキー１１５を押下し、キーボード１１０中のテンキー１１３によってその預かり金額を入力することによってなされる。単独モードでは、第１の入力手段を構成する第１のキーボード１１０ａによって預かり金額が入力される。
【００６４】
そして、このようなテンキー１１３による預かり金額の入力があった場合には（ステップＳ２０８のＹ）、マイコン１５１は入力金額をＲＡＭ１５５にレジストし（ステップＳ２０９）、締めキー１１６ａの入力の有無を判定する（ステップＳ２１０）。締めキー１１６ａは、商品情報の入力があった商品に関する取引の締めを宣言して決済を行うためのキーであり、具体的には客層キー１１６が締めキーとして機能する。単独モードでは、第１の入力手段を構成する第１のキーボード１１０ａに含まれている第１の締めキー１１６ａによって取引の締めが宣言される。
【００６５】
次いで、締めキー１１６ａの入力があった場合には（ステップＳ２１０のＹ）、マイコン１５１は、入出金データを計算し、硬貨入出金装置２０１と紙幣入出金装置３０１とのいずれか一方又は両方に、計算した入出金データを出力する（ステップＳ２１１）。入出金データというのは、硬貨入出金装置２０１又は紙幣入出金装置３０１に指示する出金すべき金額及び入金する金額についてのデータである。この入出金データは、払い出すべき硬貨又は紙幣の金種及び枚数からなるデータでも、払い出すべき金額のデータでも良い。この際、マイコン１５１は、硬貨入出金装置２０１又は紙幣入出金装置３０１に向けて送信出力する払出指示信号に入出金データと第１の締め信号とを伴わせる。
【００６６】
その後、マイコン１５１は、ＲＡＭ１５５のワークエリアを利用して販売データの仮登録を実行し（ステップＳ２１２）、サーマルプリンタ１０３を駆動制御してレシート１０５の印字発行を行なう（ステップＳ２１３）。レシート１０５は、レシート発行口１０６から発行される。
【００６７】
図８はデュアルモードでの処理を示すフローチャート、図９はデュアルモードでの右側処理と左側処理とを示すフローチャートである。また、図１２はデュアルモードでのオペレータ用表示器１０７における画面表示例を示す模式図、図１３〜図１５はデュアルモードでの顧客用表示器１２０における画面表示例をそれぞれ示す模式図である。
【００６８】
デュアルモードでは、まず、図８のフローチャートに示す処理が実行される。つまり、マイコン１５１は、第１の入力手段を構成するキーボード１０１ａ及びバーコードスキャナ１１１ａにそれらの第１の左右表示部１１７ａ、１１８ａの点灯信号を送信し、また、第２の入力手段を構成するキーボード１０１ａ及びバーコードスキャナ１１１ａにそれらの第２の左右表示部１１７ｂ、１１８ｂの点灯信号を送信し、それらの第１の左右表示部１１７ａ、１１８ａと第２の左右表示部１１７ｂ、１１８ｂとの両者を点灯させる（ステップＳ３０１）。これにより、第１の左右表示部１１７ａ、１１８ａを構成するＬＥＤは緑色に発光し、第２の左右表示部１１７ｂ、１１８ｂを構成するＬＥＤは橙色に発光する。このため、オペレータには、二つ設けられているキーボード１０１ａ及びバーコードスキャナ１１１ａのうち、第１の入力手段を構成するキーボード１０１ａ及びバーコードスキャナ１１１ａがいずれで第２の入力手段を構成するキーボード１０１ａ及びバーコードスキャナ１１１ａがいずれであるかが示される。
【００６９】
次いで、マイコン１５１は、オペレータ用表示器１０７及び顧客用表示器１２０を分割画面表示に設定する（ステップＳ３０２）。分割画面表示というのは、オペレータ用表示器１０７及び顧客用表示器１２０に、二人のオペレータが二人の顧客にそれぞれ応対するデュアルモードでの表示形態を意味する。このようなデュアルモードでは、ＨＤＤ１５７に格納された画像データファイルから呼び出した登録処理用の画面がオペレータ用表示器１０７及び顧客用表示器１２０に分割画面表示される。
【００７０】
図１２は、デュアルモードでのオペレータ用表示器１０７における分割画面表示の一例であり、図１３ないし図１５は、それぞれ、デュアルモードでの顧客用表示器１２０における画面表示例を示す模式図である。
【００７１】
図１２に示すように、オペレータ用表示器１０７における分割画面表示は、図１０に例示したオペレータ用表示器１０７における全画面表示の内容が左右に分離されて別個に表示される。つまり、オペレータ用表示器１０７の表示内容が右側表示領域１０７Ｒと左側表示領域１０７Ｌとに二分割され、右側表示領域１０７Ｒと左側表示領域１０７Ｌとのそれぞれに図１０に例示したオペレータ用表示器１０７における全画面表示の内容と同一の内容が表示される。もっとも、書誌情報欄１０７ａにおける日付時刻だけは、右側処理と左側処理とに共通であるため、単一表示となる。
【００７２】
具体的には、右側表示領域１０７Ｒと左側表示領域１０７Ｌとのそれぞれには、日付時刻や責任者等のような書誌情報を示す書誌情報欄１０７ａ、８種類のＰＬＵグループをＰＬＵグループタグＡとして表示するＰＬＵグループ欄１０７ｂ、商品情報を表示する商品情報欄１０７ｃ、購入合計金額と消費税と預かり金額と釣り銭金額とを表示する取引情報欄１０７ｄ、及び割引入力欄１０７ｅが表示される。
【００７３】
マイコン１５１は、購入される商品の購入履歴を商品情報欄１０７ｃに表示し、その購入履歴によって決定される購入合計金額、消費税、預かり金額及び釣り銭金額を取引情報欄１０７ｄに表示する。また、マイコン１５１は、ＰＬＵグループタグＡがタッチパネル１０９でタッチ選択された場合には、そのＰＬＵグループが含む商品の商品情報をポップアップ表示する。ポップアップ表示された商品の商品情報がタッチパネル１０９でタッチ選択されると、その商品の商品コードが入力され、取引情報欄１０７ｄの表示が更新される。商品情報欄１０７ｃに表示される情報は、その商品情報欄１０７ｃに含まれているスクロールキーＢによってスクロール可能である。
【００７４】
また、割引入力欄１０７ｅは、ビール券、クーポン券及び商品券が割り当てられたタグＣと、タグＣで選択された種類のビール券、クーポン券又は商品券の金額、例えばタグＣでビール券が選択された場合には５００円ビール券、１０００円ビール券、…というようなビール券の金額を示す６列３行の金額キーＤとを有する。金額キーＤは、割引入力欄１０７ｅに表示されるスクロールキーＥによってスクロールされる。マイコン１５１は、タグＣで選択されたビール券、クーポン券又は商品券の金額を金額キーＤに表示し、金額キーＤがタッチパネル１０９でタッチ選択されると、選択された金額を購入金額から減額し、取引情報欄１０７ｄの表示を更新する。
【００７５】
図１３に示すように、顧客用表示器１２０における分割画面表示も、図１１に例示した顧客用表示器１２０における全画面表示の内容が左右に分離されて別個に表示される。つまり、顧客用表示器１２０の表示内容が右側表示領域１２０Ｒと左側表示領域１２０Ｌとに二分割され、右側表示領域１２０Ｒと左側表示領域１２０Ｌとのそれぞれに図１１に例示した顧客用表示器１２０における全画面表示の内容と同一の内容が表示される。もっとも、書誌情報欄１０７ａにおける日付時刻、コマーシャルメッセージ欄１２０ｅに表示されるコマーシャルメッセージ、及びメッセージ欄１２０ｆに表示されるその他のメッセージについては、右側処理と左側処理とに共通であるため、単一表示となる。
【００７６】
具体的には、右側表示領域１０７Ｒと左側表示領域１０７Ｌとのそれぞれには、直近に取引された商品の商品名、数量及び単価を表示するカレント表示欄１２０ｂ、購入する商品の履歴を表示する購入履歴欄１２０ｃ、及び購入合計金額と消費税と預かり金額と釣り銭金額とを表示する取引情報欄１２０ｄが表示される。そして、日付時刻を示す日付時刻欄１２０ａ及びコマーシャルメッセージを表示するコマーシャルメッセージ欄１２０ｅは、右側表示領域１０７Ｒと左側表示領域１０７Ｌとの間に配列され、メッセージ欄１２０ｆはそれらの右側表示領域１０７Ｒと左側表示領域１０７Ｌとコマーシャルメッセージ欄１２０ｅとの下方に表示される。
【００７７】
顧客用表示器１２０における分割画面表示別の実施の形態として、図１４に例示する分割画面表示や図１５に例示する分割画面表示を採用しても良い。図１４に例示する分割画面表示はコマーシャルメッセージ欄１２０ｅが設けられておらず、図１５に例示する分割画面表示では右側表示領域１０７Ｒと左側表示領域１０７Ｌとが連続的に隣接してその下方にコマーシャルメッセージ欄１２０ｅが配置されている。
【００７８】
そして、本実施の形態では、オペレータ用表示器１０７における右側表示領域１０７Ｒと左側表示領域１０７Ｌとの表示フレーム、及び顧客用表示器１２０における右側表示領域１０７Ｒと左側表示領域１０７Ｌとの表示フレームは、それぞれ別個の色で表示される。つまり、第１の左右表示部１１７ａ、１１８ａを構成するＬＥＤは緑色に発光し、第２の左右表示部１１７ｂ、１１８ｂを構成するＬＥＤは橙色に発光することは前述した通りであり、このような左右の色による識別に合わせ、オペレータ用表示器１０７における右側表示領域１０７Ｒの表示フレームは緑色に表示され、左側表示領域１０７Ｌの表示フレームは橙色に表示される。これに対して、オペレータから見た右側は顧客から見た左側であり、オペレータから見た左側は顧客から見た右側である。そこで、顧客用表示器１２０における右側表示領域１２０Ｒの表示フレームは橙色に表示され、左側表示領域１２０Ｌの表示フレームは緑色に表示される。このような表示色の色分けは、一例として、オペレータ用表示器１０７及び顧客用表示器１２０に分割画面表示されるＨＤＤ１５７に格納された画像データファイルから呼び出した登録処理用の画面を予め色分けすることによって実現する。
【００７９】
ステップＳ３０２での分割画面表示に設定する処理では、マイコン１５１は、オペレータ用表示器１０７と顧客用表示器１２０とを前述したような分割画面表示に設定する。それに加えて、マイコン１５１は、商品販売データ処理の一部として、オペレータから見て右側用の第１の入力手段１０９ａ、１１０ａ、１１１ａによって入力された商品データに基づく商品販売情報とオペレータから見て左側用の第２の入力手段１０９ｂ、１１０ｂ、１１１ｂによって入力された商品データに基づく商品販売情報とを右側表示と左側表示とに分けてオペレータ用表示器１０７と顧客用表示器１２０とに左右反対に表示する。ここに、表示手段の機能が実行される。
【００８０】
また、ステップＳ３０１の処理によって、第１の左右表示部１１７ａ、１１８ａを構成するＬＥＤが緑色に発光し、第２の左右表示部１１７ｂ、１１８ｂを構成するＬＥＤが橙色に発光する。そして、ステップＳ３０１の処理によって、オペレータ用表示器１０７における右側表示領域１０７Ｒの表示フレームは緑色に表示され、左側表示領域１０７Ｌの表示フレームは橙色に表示され、顧客用表示器１２０における右側表示領域１２０Ｒの表示フレームは橙色に表示され、左側表示領域１２０Ｌの表示フレームは緑色に表示される。これにより、オペレータ及び顧客の双方に、右側処理と左側処理とを別個独立して行なう場合の左右の別が明確に示される。ここに、オペレータ用表示器１０７の右側表示領域１０７Ｒに第１の色（本実施の形態では緑色）を含ませて左側表示領域１０７Ｌに第１の色とは異なる第２の色（本実施の形態では橙色）を含ませ、第１の入力手段１０９ａ、１１０ａ、１１１ａと第２の入力手段１０９ｂ、１１０ｂ、１１１ｂとのうち右側に配置する入力手段（本実施の形態では第１の入力手段１０９ａ、１１０ａ、１１１ａ）には第１の色の表示を行ない左側に配置する入力手段（本実施の形態では第２の入力手段１０９ｂ、１１０ｂ、１１１ｂ）には第２の色の表示を行なう左右識別手段の機能が実行される。
【００８１】
次いで、マイコン１５１は、顧客用表示器１２０のコマーシャルメッセージ欄１２０ｅに、コマーシャルメッセージを表示出力する（ステップＳ３０３）。コマーシャルメッセージは、例えば通信インターフェース１６７を介して外部機器から取得したコマーシャルメッセージの静止画像又は動画像を顧客用表示器１２０のコマーシャルメッセージ欄１２０ｅに表示出力するようにしても、例えばＨＤＤ１５７に予め記憶保存しておいたコマーシャルメッセージの静止画像又は動画像を顧客用表示器１２０のコマーシャルメッセージ欄１２０ｅに表示出力するようにしても、いずれでも良い。
【００８２】
デュアルモードでは、図８に示すフローチャートの処理に続いて、図９のフローチャートに示す処理が実行される。図９のフローチャートに示す処理は、商品販売データ処理のうち、商品コードの入力から締め処理に至る一連の処理であり、右側処理（図９（ａ））と左側処理（図９（ｂ））とが別個独立して実行される。このような右側処理と左側処理との別個独立した処理は、ＣＰＵ１５２のマルチタスク機能を用いて実行しても、二系統のＣＰＵ１５２に処理を分担させて実行しても良い。右側処理と左側処理との基本的な流れは同一であるので、ここでは、図９中同一のステップ符号を付して説明し、右側処理と左側処理とが異なる場合にのみ両者を分けて説明する。
【００８３】
まず、マイコン１５１は、商品コード入力に待機する（ステップＳ３５１）。商品コード入力は、バーコードスキャナ１１１による商品に付されたバーコードのスキャナ入力又はキーボード１１０による商品コードのキー入力によって実行される。その他、オペレータ用表示器１０７に右側表示領域１０７Ｒと左側表示領域１０７Ｌとに分けて表示される商品コードの入力を許容する項目に対応する位置でのタッチパネル１０９によるタッチ入力によっても商品コードの入力が可能である。
【００８４】
商品コードの入力があったと判定された場合（ステップＳ３５１のＹ）、ＲＡＭ１５５の売上バッファにおけるレジスト領域に入力された商品コードを一時的にレジストして商品データを蓄積する処理がマイコン１５１によって実行される（ステップＳ３５２）。この際、第１の入力手段１０９ａ、１１０ａ、１１１ａにより入力された右側処理用の商品コードと第２の入力手段１０９ｂ、１１０ｂ、１１１ｂにより入力された左側処理用の商品コードとが区別されてＲＡＭ１５５の売上バッファにおけるレジスト領域に一時的にレジストされる。そして、右側処理用と左側処理用とに分けて取引データ計算が実行され（ステップＳ３５３）、オペレータ用表示器１０７及び顧客用表示器１２０の右側表示領域１０７Ｒ又は左側表示領域１０７Ｌの画面表示が更新される（ステップＳ３５４）。より詳しくは、マイコン１５１は、オペレータ用表示器１０７の商品情報欄１０７ｃ及び取引情報欄１０７ｄの表示内容を更新し、顧客用表示器１２０のカレント表示欄１２０ｂ、購入履歴欄１２０ｃ及び取引情報欄１２０ｄの表示内容を更新する。
【００８５】
その後、マイコン１５１は、第１のキーボード１１０ａ又は第２のキーボード１１０ｂからの預かり金額の入力（ステップＳ３５５のＹ）があるまで商品コード入力（ステップＳ３５１）に待機する。預かり金額の入力は、実際の取引において、顧客から決済のための金額を預かったオペレータがキーボード１１０中のエンターキー１１５を押下し、キーボード１１０中のテンキー１１３によってその預かり金額を入力することによってなされる。
【００８６】
そして、このようなテンキー１１３による預かり金額の入力があった場合には（ステップＳ３５５のＹ）、マイコン１５１は入力金額をＲＡＭ１５５にレジストする（ステップＳ３５６）。この際、入力された金額は、第１のキーボード１１０ａにより入力された金額と第２のキーボード１１０ｂにより入力された金額とを区別してＲＡＭ１５５にレジストする。その後、マイコン１５１は、第１の締めキー１１６ａ又は第２の締めキー１１６ｂの入力の有無を判定する（ステップＳ３５７）。第１の締めキー１１６ａ及び第２の締めキー１１６ｂは、商品情報の入力があった商品に関する取引の締めを宣言して決済を行うためのキーであり、具体的には客層キー１１６が締めキーとして機能する。
【００８７】
次いで、第１の締めキー１１６ａ又は第２の締めキー１１６ｂの入力があった場合には（ステップＳ３５７のＹ）、マイコン１５１は、入出金データを計算し、硬貨入出金装置２０１と紙幣入出金装置３０１とのいずれか一方又は両方に、計算した入出金データを出力する（ステップＳ３５８）。入出金データというのは、硬貨入出金装置２０１又は紙幣入出金装置３０１に対して指示する出金すべき金額及び入金する金額についてのデータである。この入出金データは、払い出すべき硬貨又は紙幣の金種及び枚数からなるデータでも、払い出すべき金額のデータでも良い。マイコン１５１は、硬貨入出金装置２０１又は紙幣入出金装置３０１に対して送信出力する払出指示信号に入出金データを伴わせる。この際、第１の締めキー１１６ａの入力があった場合には第１の入力手段１０９ａ、１１０ａ、１１１ａにより入力されてＲＡＭ１５５の売上バッファにおけるレジスト領域に一時的にレジストされた右側処理用の商品コードに基づいて入出金データが計算され、第２の締めキー１１６ｂの入力があった場合には第２の入力手段１０９ｂ、１１０ｂ、１１１ｂにより入力されてＲＡＭ１５５の売上バッファにおけるレジスト領域に一時的にレジストされた左側処理用の商品コードに基づいて入出金データが計算される。そして、マイコン１５１は、第１の締めキー１１６ａの入力に対応する右側処理用の商品コードに基づいて計算された入出金データには、払出指示信号及び第１の締め信号を伴わせて出力し、第２の締めキー１１６ｂの入力に対応する左側処理用の商品コードに基づいて計算された入出金データには、払出指示信号及び第２の締め信号を伴わせて出力する。
【００８８】
その後、マイコン１５１は、ＲＡＭ１５５のワークエリアを利用して右側処理と左側処理とを区別して販売データの仮登録を実行し（ステップＳ３５９）、レシート発行口１０６の近傍に配置された第１の左右表示部１１９ａと第２の左右表示部１１９ｂとを選択的に点灯させ（ステップＳ３６０）、サーマルプリンタ１０３を駆動制御してレシート１０５の印字発行を行なう（ステップＳ３６１）。
【００８９】
この際、マイコン１５１の制御によって、右側処理の場合にはレシート発行口１０６の近傍に配置された第１の左右表示部１１９ａである緑色のＬＥＤが点灯し、左側処理の場合にはレシート発行口１０６の近傍に配置された第２の左右表示部１１９ｂである橙色のＬＥＤが点灯することになる。これにより、オペレータは、レシート発行口１０６が一つであるにも拘らず、緑色のＬＥＤである第１の左右表示部１１９ａが点灯した場合には右側処理でのレシート発行であり、橙色のＬＥＤである第２の左右表示部１１９ｂが点灯した場合には左側処理でのレシート発行であることを知ることができる。ここに、これから発行されるレシート１０５が第１の入力手段１０９ａ、１１０ａ、１１１ａによって入力された商品データに基づくレシート１０５であるか第２の入力手段１０９ｂ、１１０ｂ、１１１ｂによって入力された商品データに基づくレシート１０５であるかを区別して報知する報知手段の機能が実行される。
【００９０】
図１６は、デュアルモードで発行されたレシート１０５の一例を示す模式図である。この図１６にレシート１０５は、その右側部に複数個の星印のマーク１０５ａが印字されている。つまり、マイコン１５１は、第１の締めキー１１６ａの入力によって実行される第１の入力手段１０９ａ、１１０ａ、１１１ａにより入力された右側処理用の商品コードに基づくレシート１０５については、その右側部に複数個の星印のマーク１０５ａを印字し、第２の締めキー１１６ｂの入力によって実行される第２の入力手段１０９ｂ、１１０ｂ、１１１ｂにより入力されて左側処理用の商品コードに基づくレシート１０５については、その左側部に複数個の星印のマーク１０５ａを印字する。これにより、オペレータは、複数個の星印のマーク１０５ａがどちら側に印字されているかを見るだけで、右側処理によって印字発行されたレシート１０５か左側処理によって発行されたレシート１０５かを一見して認識することが可能となる。この意味で、マーク１０５ａの種類やその形態は、右側処理によって印字発行されたレシート１０５か左側処理によって発行されたレシート１０５かを区別し得るものであれば、どのようなものであっても良い。ここに、商品販売データ処理に際して、第１の入力手段１０９ａ、１１０ａ、１１１ａによって入力された商品データに基づくレシート１０５であるか第２の入力手段１０９ｂ、１１０ｂ、１１１ｂによって入力された商品データに基づくレシート１０５であるかを区別してレシート１０５をサーマルプリンタ１０３に印字発行させるレシート発行手段の機能が実行される。
【００９１】
こうして、ステップＳ３５１〜ステップＳ３６１のステップによって、第１の締めキー１１６ａが押下された場合には第１の入力手段１０９ａ、１１０ａ、１１１ａによって入力された商品データに基づく商品販売データ処理を実行し、第２の締めキー１１６ｂが押下された場合には第２の入力手段１０９ｂ、１１０ｂ、１１１ｂによって入力された商品データに基づく商品販売データ処理を実行する締め手段の機能が実行される。
【００９２】
なお、本実施の形態においては、制御プログラムを記憶した記憶媒体としてＨＤＤ１５７を適用したが、これに限るものではなく、ＦＤ、光ディスク（ＣＤ−ＲＯＭ，ＣＤ−Ｒ，ＣＤ−Ｒ／Ｗ，ＤＶＤ−ＲＯＭ，ＤＶＤ−ＲＡＭなど）、光磁気ディスク（ＭＯ）、メモリカード等、プログラムを記憶でき、かつコンピュータが読み取り可能であれば、その記憶形式は何れの形態であっても良い。また、記憶媒体には、コンピュータと独立した媒体に限らず、ＬＡＮやインターネット等により伝送されたプログラムをダウンロードして記憶または一時記憶したものも含まれる。
【００９３】
〔硬貨入出金装置２０１〕
次いで、硬貨入出金装置２０１について図１７ないし図２２を参照して説明する。
【００９４】
図１７は硬貨入出金装置２０１及び紙幣入出金装置３０１の斜視図である。
【００９５】
図１７に示すように、硬貨入出金装置２０１は、例えば紙幣入出金装置３０１の下段に配置されて使用される。このような硬貨入出金装置２０１は、扁平筐体状のハウジング２０２に各構成部品を収納保持する。このハウジング２０２は、オペレータに対面するパネルとなるフロントパネル２０３を有する。このフロントパネル２０３には、その中央部に硬貨投入口２０４が配列され、硬貨投入口２０４の両側にはそれぞれ一個ずつの硬貨払出口２０５が配列されている。便宜上、オペレータから見て右側を硬貨払出口２０５ａとし、左側を硬貨払出口２０５ｂとして説明する。また、フロントパネル２０３中、硬貨投入口２０４の下方には操作表示部２０６が配設されている。
【００９６】
図１８は硬貨入出金装置２０１の概略的な横断平面図、図１９はその概略的な縦断正面図、図２０はその概略的な縦断側面図である。
【００９７】
硬貨投入口２０４には、硬貨の有無を光電的に検出する３個で一組の投入口センサ２０７が設けられている。この投入口センサ２０７は、発光ダイオードからなる発光部ＬＤとフォトトランジスタよりなる受光部ＰＴとが対向配置されてなる透過型の光センサである。このような硬貨投入口２０４の底面は、図１９に示すように、フロントパネル２０３から見て右下がりとなっており、投入された硬貨をその自重で右下方に向けて滑らすことができるように構成されている。このような硬貨投入口２０４の底面右端は、フロントパネル２０３から見て右下がりに配置されたスロープ２０８を介して硬貨搬送平ベルト２０９に連絡している。これにより、硬貨投入口２０４に投入されて右下方に向けて滑り落ちる硬貨はスロープ２０８をも滑り落ちて硬貨搬送平ベルト２０９上に落下する。
【００９８】
硬貨搬送平ベルト２０９は、モータＭを含む駆動機構２１０によって一方が転動駆動される一対のプーリ２０９ａに巻き掛けられたベルト巻き掛け機構を構成する。そして、硬貨搬送平ベルト２０９は、硬貨投入口２０４に投入されて滑り落ちてきた硬貨を真直ぐに搬送する。その過程で、硬貨は、不規則に投入された硬貨を１枚ずつ送り出すための整列ローラ２１１によって整列される。
【００９９】
硬貨搬送平ベルト２０９の終端部分には、硬貨選別部２１２が連絡している。この硬貨選別部２１２は、硬貨搬送平ベルト２０９による硬貨の搬送方向を直角に曲げる湾曲部２１３と、この湾曲部２１３によって進行方向を直角に曲げられた硬貨を案内する硬貨選別板２１４と、この硬貨選別板２１４に沿わせて硬貨を搬送する硬貨搬送丸ベルト２１５とを有する。硬貨搬送丸ベルト２１５は、モータＭを含む駆動機構２１０によって一方が転動駆動される一対のプーリ２１５ａに巻き掛けられたベルト巻き掛け機構を構成する。また、硬貨選別板２１４は、硬貨の搬送順に順次穴幅寸法が拡大する金種毎の選別穴２１６を有する。選別穴２１６は、１円・５円・１０円・５０円・１００円・５００円のそれぞれの金種に対応するように６個設けられている。そして、各選別穴２１６に対応させて、落下する硬貨の枚数を計数するための計数センサ２１７が設けられている。この計数センサ２１７は、発光ダイオードからなる発光部ＬＤとフォトトランジスタよりなる受光部ＰＴとが対向配置されてなる透過型の光センサである。
【０１００】
硬貨選別部２１２の下方には、選別穴２１６のそれぞれに連通させて仕切板２１８で硬貨毎に仕切られた上方開口の硬貨収納部２１９が設けられている。この硬貨収納部２１９のそれぞれの金種毎の入り口、つまり選別穴２１６の近傍には、硬貨収納部２１９が満杯となっているかどうかを検出するための満杯センサ２２０が設けられている。この満杯センサ２２０は、発光ダイオードからなる発光部ＬＤとフォトトランジスタよりなる受光部ＰＴとが対向配置されてなる透過型の光センサである。また、硬貨収納部２１９のそれぞれの金種毎の底面部分には、搬送ベルト構造の払出ベルト２２１が設けられている。この払出ベルト２２１は、モータＭを含む駆動機構２１０によって一方が転動駆動される一対のプーリ２２１ａに巻き掛けられたベルト巻き掛け機構を構成する。そして、硬貨収納部２１９の出口には、硬貨を一枚毎に分離する分離ローラ２２２が配設されており、この分離ローラ２２２の下流側には所定枚数の硬貨を一列に整列させて待機させる硬貨待機部２２３が金種毎に設けられている。この硬貨待機部２２３には、払出ベルト２２１の上部に２枚以上の硬貨が重ならないように寸法を定めた図示しない押え板が設けられ、かつ、硬貨を一時的に停止させるとともに必要枚数の硬貨を送り出すように動作制御がなされる硬貨ストッパ２２４が設けられている。この硬貨ストッパ２２４は、払出ソレノイド２２５（図２１参照）に駆動制御され、動作制御されることにより指定された硬貨とその枚数とを払い出す。さらに、硬貨ストッパ２２４の直後には、硬貨払出位置に払い出される硬貨の金種及び枚数をチェックするための払出センサ２２６が金種毎に設けられている。この払出センサ２２６は、発光ダイオードからなる発光部ＬＤとフォトトランジスタよりなる受光部ＰＴとが対向配置されてなる透過型の光センサである。
【０１０１】
また、本実施の形態の硬貨入出金装置２０１は、払出ベルト２２１によって払い出された各金種の硬貨を受け止める左右搬送機構としての払出方向選択ベルト２２７を備えている。この払出方向選択ベルト２２７は、金種毎の払出ベルト２２１の終端よりも下方の位置でそれらの払出ベルト２２１と直交するように配置されている。このような払出方向選択ベルト２２７は、モータＭを含む駆動機構２１０によって一方が転動駆動される一対のプーリ２２７ａに巻き掛けられたベルト巻き掛け機構を構成する。そして、払出方向選択ベルト２２７を転動駆動する駆動機構２１０は、払出方向選択ベルト２２７を正逆反対方向に転動させ得るように構成されている。
【０１０２】
さらに、払出方向選択ベルト２２７の両端部は、硬貨投入口２０４の両側にそれぞれ一個ずつ配列された硬貨払出口２０５に向けて下向きに傾斜する払出案内機構としての払出スロープ２２８に連絡している。これにより、払出方向選択ベルト２２７の転動によって搬送される硬貨は払出スロープ２２８を滑り落ちて硬貨払出口２０５に落下する。
【０１０３】
続いて、このような構成の硬貨入出金装置２０１に内蔵される各部の電気的接続について図２１を参照して説明する。図２１は、硬貨入出金装置２０１に内蔵される各部の電気的接続を示すブロック図である。
【０１０４】
図２１に示すように、本実施の形態の硬貨入出金装置２０１は、Ｍｉｃｒｏｃｏｍｐｕｔｅｒ（以下、マイコンという。）２５１を内蔵し、このマイコン２５１が各部を駆動制御する。マイコン２５１は、各部を集中的に制御するＣＰＵ（Ｃｅｎｔｒａｌ  Ｐｒｏｃｅｓｓｉｎｇ  Ｕｎｉｔ）２５２に、アドレスバス、データバス等のバスライン２５３を介して、動作プログラム等の固定的データを予め格納するＲＯＭ（Ｒｅａｄ  Ｏｎｌｙ  Ｍｅｍｏｒｙ）２５４と、データを書き換え自在に格納するＲＡＭ（Ｒａｎｄｏｍ  Ａｃｃｅｓｓ  Ｍｅｍｏｒｙ）２５５と、通信インターフェース２５６とが接続されて構成されている。なお、ＲＡＭ２５５は、バッテリ（図示せず）によってバックアップされている。
【０１０５】
ＲＯＭ２５４に格納された制御プログラムは、マイコン２５１による各部の駆動制御を可能とする。こうしてマイコン２５１によって駆動制御される各部として、本実施の形態の硬貨入出金装置２０１は、バスライン２５３を介してマイコン２５１に接続された操作表示部２０６、モータＭを駆動源とする駆動機構２１０、及び払出ソレノイド２２５を備える。そして、各種のセンサ類、つまり、投入口センサ２０７、計数センサ２１７、満杯センサ２２０及び払出センサ２２６も、バスライン２５３を介してマイコン２５１に接続され、それらのセンシング結果がマイコン２５１に伝達される。
【０１０６】
ここで、駆動機構２１０は、硬貨搬送平ベルト２０９、硬貨搬送丸ベルト２１５、払出ベルト２２１、払出方向選択ベルト２２７、整列ローラ２１１、及び分離ローラ２２２を駆動制御する。この場合、駆動機構２１０は、それらの硬貨搬送平ベルト２０９、硬貨搬送丸ベルト２１５、払出ベルト２２１及び払出方向選択ベルト２２７を独立的に駆動制御可能とする構造を備える。駆動対象物を独立的に駆動制御するための構造としては、例えば、駆動源であるモータＭを複数個設けるとか、クラッチ機構を採用するとか、各種の公知の構造を採用し得る。
【０１０７】
次に、作用について説明する。
【０１０８】
硬貨が硬貨投入口２０４に投入されると、投入口センサ２０７がその硬貨を検出し、マイコン２５１は硬貨搬送ベルト平２０９を駆動する。これにより、硬貨は硬貨搬送ベルト平２０９に搬送され、湾曲部２１３で直角に方向転換された後に硬貨搬送丸ベルト２１５に搬送され、硬貨選別部２１２で金種毎の選別がなされる。すなわち、金種に応じて選別穴２１６に落され、硬貨収納部２１９に収納される。選別穴２１６から落下した硬貨は、計数センサ２１７によりその数がカウントされる。硬貨収納部２１９に落下した硬貨は、払出ベルト２２１に搬送されて硬貨待機部２２３で待機状態となっている。
【０１０９】
図２２は、ＰＯＳ端末１０１から払出指示信号を受信した場合の処理の流れを示すフローチャートである。
【０１１０】
ＰＯＳ端末１０１から払出指示信号を受信した場合の処理を図２２のフローチャートに基づいて説明する。まず、マイコン２５１は、ＰＯＳ端末１０１から払出指示信号を受信した場合、その払出指示信号に第１の締め信号が伴われているかどうかを判定する（ステップＳ４０１）。払出指示信号に第１の締め信号が伴われてない場合には、その払出指示信号に第２の締め信号が伴われているかどうかを判定する（ステップＳ４０２）。払出指示信号に第１の締め信号が伴われている場合というのは、ＰＯＳ端末１０１が単独モードにモード設定されている場合か、デュアルモードにモード設定されている場合であって第１の締めキー１１６ａによって締め処理が宣言された場合かのいずれかである。デュアルモード時、第１の締めキー１１６ａによって締め処理が宣言されたということは、ＰＯＳ端末１０１において右側処理が実行されていたことを意味する。また、払出指示信号に第２の締め信号が伴われている場合というのは、ＰＯＳ端末１０１がデュアルモードにモード設定されている場合であって第２の締めキー１１６ｂによって締め処理が宣言された場合である。デュアルモード時、第２の締めキー１１６ｂによって締め処理が宣言されたということは、ＰＯＳ端末１０１において左側処理が実行されていたことを意味する。
【０１１１】
ステップＳ４０１で払出指示信号に第１の締め信号が伴われているとの判定結果が出た場合、マイコン２５１は、駆動機構２１０を制御し、払出ベルト２２１及び払出ソレノイド２２５を動作させる（ステップＳ４０３、ステップＳ４０４）。この際、マイコン２５１は、払出指示信号に伴われている入出金データを参照し、駆動すべき金種の払出ベルト２２１及び払出ソレノイド２２５とその駆動時間とを求め、求めた金種の払出ベルト２２１及び払出ソレノイド２２５を求めた駆動時間だけ駆動する。これにより、ＰＯＳ端末１０１が指示した金額分の硬貨が払出ベルト２２１から払出方向選択ベルト２２７に払い出される。
【０１１２】
この際、マイコン２５１は、どの金種の硬貨が何枚払い出されたかを払出センサ２２６の出力に基づいて認識し、確認する（ステップＳ４０５）。
【０１１３】
そして、マイコン２５１は、駆動機構２１０を制御し、払出方向選択ベルト２２７を動作させる（ステップＳ４０６）。この際、ステップＳ４０１で払出指示信号に第１の締め信号が伴われていると判定されているので、オペレータから見て硬貨が右側に位置する硬貨払出口２０５ａから払い出される方向に払出方向選択ベルト２２７が駆動される。これにより、デュアルモード時にＰＯＳ端末１０１において実行されていた右側処理に適合するよう、オペレータから見て右側に位置する硬貨払出口２０５ａから釣り銭が払い出される。
【０１１４】
釣り銭の払い出しが終了した場合、マイコン２５１は停止処理をして処理を終了する（ステップＳ４０７）。
【０１１５】
これに対して、ステップＳ４０２で払出指示信号に第２の締め信号が伴われているとの判定結果が出た場合、マイコン２５１は、駆動機構２１０を制御し、払出ベルト２２１及び払出ソレノイド２２５を動作させる（ステップＳ４０８、ステップＳ４０９）。この際、マイコン２５１は、払出指示信号に伴われている入出金データを参照し、駆動すべき金種の払出ベルト２２１及び払出ソレノイド２２５とその駆動時間とを求め、求めた金種の払出ベルト２２１及び払出ソレノイド２２５を求めた駆動時間だけ駆動する。これにより、ＰＯＳ端末１０１が指示した金額分の硬貨が払出ベルト２２１から払出方向選択ベルト２２７に払い出される。
【０１１６】
この際、マイコン２５１は、どの金種の硬貨が何枚払い出されたかを払出センサ２２６の出力に基づいて認識し、確認する（ステップＳ４１０）。
【０１１７】
そして、マイコン２５１は、駆動機構２１０を制御し、払出方向選択ベルト２２７を動作させる（ステップＳ４１１）。この際、ステップＳ４０２で払出指示信号に第２の締め信号が伴われていると判定されているので、オペレータから見て硬貨が左側に位置する硬貨払出口２０５ａから払い出される方向に払出方向選択ベルト２２７が駆動される。これにより、デュアルモード時にＰＯＳ端末１０１において実行されていた左側処理に適合するよう、オペレータから見て左側に位置する硬貨払出口２０５ａから釣り銭が払い出される。
【０１１８】
釣り銭の払い出しが終了した場合、マイコン２５１は停止処理をして処理を終了する（ステップＳ４１２）。
【０１１９】
ここに、第１の締め信号の入力に応じて一方の硬貨払出口２０５ａから硬貨を払い出す方向に左右搬送機構である払出方向選択ベルト２２７を駆動制御し、第２の締め信号の入力に応じてもう一方の硬貨払出口２０５ｂから硬貨を払い出す方向に左右搬送機構である払出方向選択ベルト２２７を駆動制御する駆動制御手段の機能が実行される。
【０１２０】
なお、本実施の形態では、ＰＯＳ端末１０１が単独モードの時に、右側の硬貨払出口２０５ａから硬貨を払い出す例を示したが、実施に際しては、ＰＯＳ端末１０１が単独モードの時に、左側の硬貨払出口２０５ｂから硬貨を払い出すように構成しても良い。
【０１２１】
〔紙幣入出金装置３０１〕
次いで、紙幣入出金装置３０１について図１７、図２３ないし図２８を参照して説明する。
【０１２２】
図１７は硬貨入出金装置２０１及び紙幣入出金装置３０１の斜視図である。
【０１２３】
図１７に示すように、紙幣入出金装置３０１は、例えば硬貨入出金装置２０１の上段に配置されて使用される。このような紙幣入出金装置３０１は、扁平筐体状のハウジング３０２に各構成部品を収納保持する。このハウジング３０２は、オペレータに対面するパネルとなるフロントパネル３０３を有する。このフロントパネル３０３には、その中央部に紙幣投入口３０４が配列され、紙幣投入口３０４の両側にはそれぞれ一個ずつの紙幣払出口３０５が配列されている。便宜上、オペレータから見て右側を紙幣払出口３０５ａとし、左側を紙幣払出口３０５ｂとして説明する。
【０１２４】
図２３は紙幣入出金装置３０１の概略的な横断平面図、図２４はその概略的な縦断正面図、図２５は図２３におけるＡＡ線断面図、図２６は図２３におけるＢＢ線断面図である。
【０１２５】
本実施の形態の紙幣入出金装置３０１は、概略的には、紙幣投入口３０４から投入された紙幣Ｐを紙幣投入口３０４に真直ぐに連絡する中央経路３０６に案内し、この案内途中で紙幣を中央経路３０６の下方に順に配列された金種別の紙幣収納部３０７に金種別に収納する。そして、ＰＯＳ端末１０１からの排出指示信号を受けて、紙幣収納部３０７に金種別に収納された紙幣を二つの紙幣払出口３０５から選択的に払い出す、というものである。そこで、紙幣を中央経路３０６の下方に順に配列された金種別の紙幣収納部３０７に金種別に収納するための構造として紙幣収納構造３０８が設けられ、紙幣を二つの紙幣払出口３０５から選択的に払い出すための構造として紙幣払出構造３０９が設けられている。以下、このような紙幣入出金装置３０１について詳細に説明する。
【０１２６】
まず、紙幣投入口３０４には、紙幣の有無を光電的に検出する投入口センサ３１０が設けられている。この投入口センサ３１０は、発光ダイオードからなる発光部ＬＤとフォトトランジスタよりなる受光部ＰＴとが対向配置されてなる透過型の光センサである。
【０１２７】
紙幣投入口３０４の近傍には、投入口センサ３１０よりも奥側に一対のローディングローラ３１１が設けられている。このローディングローラ３１１は、モータＭを駆動源とするローラ駆動機構３１２（図２７参照）に駆動されて回転し、紙幣投入口３０４に投入された紙幣を中央経路３０６の内部にローディングする。
【０１２８】
そして、そのローディングローラ３１１よりもさらに奥側には、中央経路３０６にローディングされた紙幣Ｐの有無を検出する紙幣センサ３１３が設けられている。
【０１２９】
次いで、紙幣収納構造３０８について説明する。図２５は、紙幣収納構造３０８について良く表している。そこで、図２５を中心に説明する。
【０１３０】
紙幣投入口３０４に真直ぐに連絡する中央経路３０６は、紙幣投入口３０４に投入された紙幣Ｐを移動自在に保持する微小ギャップをもって相対向する一対の保持板ＳＰによって形成されている。このような中央経路３０６の下方には、金種別の紙幣収納部３０７が順に配列されている。その配列順序は問わないが、例えば、紙幣投入口３０４から順に、１０００円、５０００円、１００００円、２０００円の順に配列されている。
【０１３１】
このような中央経路３０６には、モータＭを駆動源とするローラ駆動機構３１２（図２７参照）に駆動されて回転し、紙幣Ｐに搬送力を付与する複数個の収納搬送ローラ３１４が配設されている。収納搬送ローラ３１４は収納搬送部を構成する。そして、これらの収納搬送ローラ３１４の一部は、金種別に設けられた各紙幣収納部３０７の後端の上方に位置付けられている。これらの各紙幣収納部３０７の後端の上方に位置付けられている収納搬送ローラ３１４を、便宜上、方向転換ローラ３１４ａと呼ぶ。
【０１３２】
方向転換ローラ３１４ａの位置では、保持板ＳＰが途切れている。そして、これらの途切れた部分から中央経路３０６に進退自在の複数個の切替板３１５が設けられている。これらの切替板３１５は、回動自在に支持され、収納ソレノイド３１６（図２７参照）に駆動されて回動することで中央経路３０６に進退自在である。そして、切替板３１５が中央経路３０６に進入した場合、中央経路３０６を案内搬送されている紙幣Ｐは切替板３１５に真直ぐな進行を遮られ、切替板３１５に付されたカーブ形状に沿って中央経路３０６の下方に配置された紙幣収納部３０７に導かれる。したがって、紙幣Ｐを収納したい紙幣収納部３０７の後端上方に位置付けられている切替板３１５を中央経路３０６に進入させることで、中央経路３０６を進行中の紙幣Ｐが切替板３１５に案内されて所望の紙幣収納部３０７に収納されることになる。
【０１３３】
もっとも、紙幣投入口３０４から最も離れた紙幣収納部３０７については、そのような切替板３１５が設けられておらず、その紙幣収納部３０７の上方では保持板ＳＰも設けられていない。したがって、紙幣投入口３０４から最も離れた紙幣収納部３０７には、専ら、中央経路３０６を進行する紙幣Ｐが自由落下によって収納されることになる。
【０１３４】
こうして、中央経路３０６を搬送される紙幣Ｐを金種別に紙幣収納部３０７に導入する紙幣収納機構が構成されている。
【０１３５】
さらに、図２４に示すように、各紙幣収納部３０７には、紙幣収納部３０７に収納された紙幣Ｐを押えて固定的に保持するための一対の紙幣押え３１７が設けられている。これらの紙幣押え３１７は、紙幣Ｐを押える押え位置と紙幣収納部３０７に対する紙幣Ｐの導入を妨げない退避位置との間に回動自在に指示され、紙幣押えソレノイド３１８（図２７参照）に駆動されて回動することで押え位置と退避位置とに選択的に位置付けられる。
【０１３６】
次いで、紙幣払出構造３０９について説明する。図２４及び図２６は、紙幣払出構造３０９について良く表している。そこで、図２４及び図２６を中心に説明する。
【０１３７】
紙幣収納部３０７は、紙幣Ｐを積層状態で収納保持する。このような紙幣収納部３０７において、最下位に位置する紙幣Ｐは、その両側部を、中央経路３０６での紙幣Ｐの進行方向と軸方向が同一方向である回転自在の一対のピックアップローラ３１９によって支持されている。これらのピックアップローラ３１９は、モータＭを駆動源とするローラ駆動機構３１２（図２７参照）に駆動されて回転し、紙幣収納部３０７において最下位に位置する紙幣Ｐに中央経路３０６と直交する方向への搬送力を付与する。これにより、紙幣収納部３０７において最下位に位置する紙幣Ｐはピックアップローラ３１９にピックアップされて中央経路３０６と直交する方向へ搬送され、この際、図示しない分離機構によって最下位の紙幣Ｐは他の積層された紙幣Ｐから分離給送される。この場合、最下位の紙幣Ｐは、一対のピックアップローラ３１９のうちのいずれのピックアップローラ３１９を駆動するかによって、左右いずれの方向にも分離給送可能である。
【０１３８】
ピックアップローラ３１９にピックアップ給送された紙幣Ｐの行き先には紙幣払出経路３２０が配設されている。つまり、中央経路３０６の両側には一対の紙幣払出経路３２０が並列に配置されている。これらの紙幣払出経路３２０は、紙幣収納部３０７に連絡する平板状部材によって構成されている。また、紙幣払出経路３２０には、ピックアップローラ３１９にピックアップ給送された紙幣Ｐを定位置まで搬送するための複数個の送りローラ３２１が設けられている。これらの送りローラ３２１は、ピックアップローラ３１９と平行な回転軸を有し、モータＭを駆動源とするローラ駆動機構３１２（図２７参照）に駆動されて回転する。
【０１３９】
こうして、紙幣収納部３０７に金種別に収納された紙幣Ｐを一枚ずつ選択的に左右一方の紙幣払出経路３２０に移送する左右移送機構が構成される。
【０１４０】
次いで、紙幣払出経路３２０上には、払出機構を構成する払出ローラ群３２２が設けられている。つまり、図２６に示すように、払出ローラ群３２２は、棒状のリンク３２３に複数個の払出ローラ３２４が回転自在に取り付けられた払出構造体３２５がリンク３２３の両端において回動自在に支持されて構成されている。これにより、払出構造体３２５は、その回動動作に応じて紙幣払出経路３２０に接離する。このような払出構造体３２５の回動は、払出ソレノイド３２６（図２７参照）の駆動によって実現し、複数個の払出ローラ３２４は、モータＭを駆動源とするローラ駆動機構３１２（図２７参照）に駆動されて回転する。これにより、紙幣払出経路３２０上に移送された紙幣Ｐは、払出構造体３２５を下降させて複数個の払出ローラ３２４を回転駆動することで紙幣払出口３０５に向けて払い出される。この際、紙幣払出経路３２０上の紙幣払出口３０５の近傍に設けられた払出最終ローラ３２７は、紙幣払出口３０５に対する紙幣Ｐの確実な払い出しを補助する。このような払出最終ローラ３２７も、モータＭを駆動源とするローラ駆動機構３１２（図２７参照）に駆動されて回転する。
【０１４１】
続いて、このような構成の紙幣入出金装置３０１に内蔵される各部の電気的接続について図２７を参照して説明する。図２７は、紙幣入出金装置３０１に内蔵される各部の電気的接続を示すブロック図である。
【０１４２】
図２７に示すように、本実施の形態の紙幣入出金装置３０１は、Ｍｉｃｒｏｃｏｍｐｕｔｅｒ（以下、マイコンという。）３５１を内蔵し、このマイコン３５１が各部を駆動制御する。マイコン３５１は、各部を集中的に制御するＣＰＵ（Ｃｅｎｔｒａｌ  Ｐｒｏｃｅｓｓｉｎｇ  Ｕｎｉｔ）３５２に、アドレスバス、データバス等のバスライン３５３を介して、動作プログラム等の固定的データを予め格納するＲＯＭ（Ｒｅａｄ  Ｏｎｌｙ  Ｍｅｍｏｒｙ）３５４と、データを書き換え自在に格納するＲＡＭ（Ｒａｎｄｏｍ  Ａｃｃｅｓｓ  Ｍｅｍｏｒｙ）３５５と、通信インターフェース３５６とが接続されて構成されている。なお、ＲＡＭ３５５は、バッテリ（図示せず）によってバックアップされている。
【０１４３】
ＲＯＭ３５４に格納された制御プログラムは、マイコン３５１による各部の駆動制御を可能とする。こうしてマイコン３５１によって駆動制御される各部として、本実施の形態の紙幣入出金装置３０１は、バスライン３５３を介してマイコン３５１に接続されたモータＭを駆動源とするローラ駆動機構３１２、収納ソレノイド３１６、紙幣押えソレノイド３１８、及び払出ソレノイド３２６を備える。そして、各種のセンサ類、つまり、投入口センサ３１０及び紙幣センサ３１３も、バスライン３５３を介してマイコン３５１に接続され、それらのセンシング結果がマイコン３５１に伝達される。
【０１４４】
ここで、ローラ駆動機構３１２は、ローディングローラ３１１、収納搬送ローラ３１４、ピックアップローラ３１９、送りローラ３２１、払出ローラ３２４、及び払出最終ローラ３２７を駆動制御する。この場合、ローラ駆動機構３１２は、それらのローディングローラ３１１、収納搬送ローラ３１４、ピックアップローラ３１９、送りローラ３２１、払出ローラ３２４、及び払出最終ローラ３２７を独立的に駆動制御可能とする構造を備える。駆動対象物を独立的に駆動制御するための構造としては、例えば、駆動源であるモータＭを複数個設けるとか、クラッチ機構を採用するとか、各種の公知の構造を採用し得る。
【０１４５】
次に、作用について説明する。
【０１４６】
紙幣投入口３０４に紙幣Ｐが投入されると、投入された紙幣Ｐが投入口センサ３１０に検出される。これに応じて、マイコン３５１は、ローラ駆動機構３１２によってローディングローラ３１１を駆動し、紙幣Ｐを内部にローディングする。ローディングされた紙幣Ｐは中央経路３０６に案内され、ローラ駆動機構３１２によって駆動される収納搬送ローラ３１４に搬送される。
【０１４７】
その過程で、紙幣センサ３１３の出力信号によって紙幣Ｐの金種が判別される。紙幣Ｐの金種判別は、例えば、紙幣Ｐの搬送速度から認識可能な紙幣Ｐの長さに基づいてなされる。もっとも、紙幣センサ３１３として、紙幣Ｐの特徴を採取可能なセンサを設ければ、紙幣Ｐの特徴に基づいて紙幣Ｐの金種を判別することも可能である。
【０１４８】
紙幣Ｐの金種が判別されたら、その金種が対応する紙幣収納部３０７に搬送中の紙幣Ｐを収納する。そのために、マイコン３５１は、紙幣Ｐを収納しようとする紙幣収納部３０７の上方に紙幣が到達する直前に収納ソレノイド３１６を駆動し、切替板３１５を回動させて中央経路３０６に進入させる。これにより、中央経路３０６を進行中の紙幣Ｐは切替板３１５に行く手を阻まれ、金種対応の紙幣収納部３０７に向けて方向転換される。この際、マイコン３５１は、紙幣押えソレノイド３１８を駆動して紙幣押え３１７を退避位置に位置付け、紙幣Ｐとの干渉を防止する。これにより、紙幣Ｐは、金種対応の紙幣収納部３０７に収納される。
【０１４９】
図２８は、ＰＯＳ端末１０１から払出指示信号を受信した場合の処理の流れを示すフローチャートである。
【０１５０】
ＰＯＳ端末１０１から払出指示信号を受信した場合の処理を図２２のフローチャートに基づいて説明する。まず、マイコン３５１は、ＰＯＳ端末１０１から払出指示信号を受信した場合、その払出指示信号に第１の締め信号が伴われているかどうかを判定する（ステップＳ５０１）。払出指示信号に第１の締め信号が伴われてない場合には、その払出指示信号に第２の締め信号が伴われているかどうかを判定する（ステップＳ５０２）。払出指示信号に第１の締め信号が伴われている場合というのは、ＰＯＳ端末１０１が単独モードにモード設定されている場合か、デュアルモードにモード設定されている場合であって第１の締めキー１１６ａによって締め処理が宣言された場合かのいずれかである。デュアルモード時、第１の締めキー１１６ａによって締め処理が宣言されたということは、ＰＯＳ端末１０１において右側処理が実行されていたことを意味する。また、払出指示信号に第２の締め信号が伴われている場合というのは、ＰＯＳ端末１０１がデュアルモードにモード設定されている場合であって第２の締めキー１１６ｂによって締め処理が宣言された場合である。デュアルモード時、第２の締めキー１１６ｂによって締め処理が宣言されたということは、ＰＯＳ端末１０１において左側処理が実行されていたことを意味する。
【０１５１】
ステップＳ５０１で払出指示信号に第１の締め信号が伴われているとの判定結果が出た場合、マイコン３５１は、払出指示信号に伴われている入出金データを参照し、駆動すべき金種に対応するオペレータから見て右側のピックアップローラ３１９を動作させ（ステップＳ５０３）、続いて右側の送りローラ３２１を動作させ（ステップＳ５０４）、紙幣収納部３０７から最下位に位置する紙幣Ｐを右側の紙幣払出経路３２０に向けてピックアップ給送する。ピックアップローラ３１９及び送りローラ３２１の駆動は、ローラ駆動機構３１２を制御することによって実行される。
【０１５２】
その後、マイコン３５１は、紙幣Ｐが右側の紙幣払出経路３２０に達したタイミングで、払出ソレノイド３２６を駆動して右側の払出構造体３２５を下降させる（ステップＳ５０５）。これにより、払出構造体３２５に設けられている複数個の払出ローラ３２４が紙幣Ｐに接触する。
【０１５３】
そこで、続くステップＳ５０６で、マイコン３５１は、ローラ駆動機構３１２を制御し、右側の払出ローラ３２４を駆動し（ステップＳ５０６）、続いて右側の払出最終ローラ３２７を駆動する（ステップＳ５０７）。これにより、デュアルモード時にＰＯＳ端末１０１において実行されていた右側処理に適合するようオペレータから見て右側に位置する硬貨払出口２０５ａから釣り銭が払い出される。
【０１５４】
釣り銭の払い出しが終了した場合、マイコン２５１は停止処理をして処理を終了する（ステップＳ５０８）。
【０１５５】
これに対して、ステップＳ５０２で払出指示信号に第２の締め信号が伴われているとの判定結果が出た場合、マイコン３５１は、払出指示信号に伴われている入出金データを参照し、駆動すべき金種に対応するオペレータから見て左側のピックアップローラ３１９を動作させ（ステップＳ５０９）、続いて左側の送りローラ３２１を動作させ（ステップＳ５１０）、紙幣収納部３０７から最下位に位置する紙幣Ｐを左側の紙幣払出経路３２０に向けてピックアップ給送する。ピックアップローラ３１９及び送りローラ３２１の駆動は、ローラ駆動機構３１２を制御することによって実行される。
【０１５６】
その後、マイコン３５１は、紙幣Ｐが左側の紙幣払出経路３２０に達したタイミングで、払出ソレノイド３２６を駆動して左側の払出構造体３２５を下降させる（ステップＳ５１１）。これにより、払出構造体３２５に設けられている複数個の払出ローラ３２４が紙幣Ｐに接触する。
【０１５７】
そこで、続くステップＳ５１２で、マイコン３５１は、ローラ駆動機構３１２を制御し、左側の払出ローラ３２４を駆動し（ステップＳ５１２）、続いて左側の払出最終ローラ３２７を駆動する（ステップＳ５１３）。これにより、デュアルモード時にＰＯＳ端末１０１において実行されていた左側処理に適合するようオペレータから見て左側に位置する硬貨払出口２０５ａから釣り銭が払い出される。
【０１５８】
釣り銭の払い出しが終了した場合、マイコン２５１は停止処理をして処理を終了する（ステップＳ５１４）。
【０１５９】
ここに、払い出そうとする金種を収納する紙幣収納部３０７に収納された紙幣Ｐを払い出そうとする紙幣払出口３０５に対応する紙幣払出経路３２０に移送し、紙幣払出経路３２０に移送された紙幣Ｐを紙幣払出口３０５に向けて搬送し、これによって、第１の締め信号の入力応じて一方の紙幣払出口３０５ａから紙幣Ｐを払い出し、第２の締め信号の入力に応じてもう一方の紙幣払出口３０５ｂから紙幣Ｐを払い出すように紙幣払出構造３０９を駆動制御する駆動制御手段の機能が実行される。
【０１６０】
なお、本実施の形態では、ＰＯＳ端末１０１が単独モードの時に、右側の紙幣払出口３０５ａから硬貨を払い出す例を示したが、実施に際しては、ＰＯＳ端末１０１が単独モードの時に、左側の紙幣払出口３０５ｂから紙幣Ｐを払い出すように構成しても良い。
【０１６１】
〔システム全体の使用形態〕
以上説明したように、本実施の形態のシステムでは、単独モードでの使用とデュアルモードでの使用との二通りの使用形態を選択することができる。そこで、通常は単独モードで使用し、繁忙時にはデュアルモードで使用するというようなことが可能となる。この場合、１台のＰＯＳ端末１０１、硬貨入出金装置２０１及び紙幣入出金装置３０１によって、単独モードでもデュアルモードでも使用可能であることから、大規模な装置を用いることなく、効率よく顧客を捌くことが可能となる。
【０１６２】
ここで、本実施の形態では、デュアルモードにおいて、オペレータから見て右側に並ぶ顧客が購入する商品の商品データについては、第１の入力手段（例えば、第１のキーボード１１０ａ、第１のスキャナ１１１ａ等）と第２の入力手段（例えば、第１のキーボード１１０ｂ、第１のスキャナ１１１ｂ等）とのうち右側に配置する入力手段、本実施の形態では第１の入力手段１０９ａ、１１０ａ、１１１ａによってその商品情報を入力可能として、入力された商品データに基づく商品販売情報をオペレータ用表示器１０７に右側表示して顧客用表示器１２０に左側表示する。この際、オペレータ用表示器１０７の右側表示のフレームが緑色に表示され、第１のキーボード１１０ａ及び第１のスキャナ１１１ａの左右表示部１１７ａ、１１８ａが緑色に点灯することから、オペレータは自分が操作し見ようとする対象物の左右の別を容易に識別することができる。また、商品販売データ処理に際して、レシート１０５が発行される直前には、レシート発行口１０６近傍の右側に位置する左右表示部１１９ａが緑色に点灯することから、左右どちらの顧客用のレシート１０５がこれから発行されるのかが容易に判別される。レシート１０５の判別は、レシート１０５に印字されるマーク１０５ａによって、レシート１０５そのものからも容易である。さらに、硬貨入出金装置２０１及び紙幣入出金装置３０１では、硬貨又は紙幣の払出指示に応じて、右側の硬貨払出口２０５ａから硬貨が払い出され、右側の紙幣払出口３０５ａから紙幣が払い出される。
【０１６３】
また、オペレータから見て左側に並ぶ顧客が購入する商品の商品データについては、第１の入力手段（例えば、第１のキーボード１１０ａ、第１のスキャナ１１１ａ等）と第２の入力手段（例えば、第１のキーボード１１０ｂ、第１のスキャナ１１１ｂ等）とのうち左側に配置する入力手段１０９ｂ、１１０ｂ、１１１ｂによってその商品情報を入力可能として、入力された商品データに基づく商品販売情報をオペレータ用表示器１０７に左側表示し顧客用表示器１２０に右側表示する。この際、オペレータ用表示器１０７の左側表示のフレームが橙色に表示され、第２のキーボード１１０ｂ及び第２のスキャナ１１１ｂの左右表示部１１７ｂ、１１８ｂが橙色に点灯することから、オペレータは自分が操作し見ようとする対象物の左右の別を容易に識別することができる。また、商品販売データ処理に際して、レシート１０５が発行される直前には、レシート発行口１０６近傍の左側に位置する左右表示部１１９ｂが橙色に点灯することから、左右どちらの顧客用のレシート１０５がこれから発行されるのかが容易に判別される。レシート１０５の判別は、レシート１０５に印字されるマーク１０５ａによって、レシート１０５そのものからも容易である。さらに、硬貨入出金装置２０１及び紙幣入出金装置３０１では、硬貨又は紙幣の払出指示に応じて、左側の硬貨払出口２０５ｂから硬貨が払い出され、左側の紙幣払出口３０５ｂから紙幣が払い出される。
【０１６４】
したがって、デュアルモードにおいては、オペレータから見て右側に並ぶ顧客については右を観念させる操作及び表示によって一連の商品販売作業を行なうことができ、オペレータから見て左側に並ぶ顧客については左を観念させる操作及び表示によって一連の商品販売作業を行なうことができる。
【０１６５】
【発明の効果】
本発明の商品販売データ処理装置は、商品販売データ処理の一部として、第１の入力手段によって入力された商品データに基づく商品販売情報と第２の入力手段によって入力された商品データに基づく商品販売情報とを右側表示と左側表示とに分けてオペレータ用表示器と顧客用表示器とに左右反対に表示するようにしたので、第１の入力手段及びこれに対応する側の表示を一人に顧客に割り当て、第２の入力手段及びこれに対応する側の表示をもう一人の別の顧客に割り当てることができ、これにより、一台の商品販売データ処理装置によって二人の顧客を捌くことができ、したがって、大規模な装置を用いることなく、効率よく顧客を捌くことができる。
【図面の簡単な説明】
【図１】本発明の実施の一形態として、ＰＯＳ端末、硬貨入出金装置及び紙幣入出金装置の外観を示す斜視図である。
【図２】キーボードの平面図である。
【図３】ＰＯＳ端末、硬貨入出金装置及び紙幣入出金装置の外観の一部を示す斜視図である。
【図４】ＰＯＳ端末、硬貨入出金装置及び紙幣入出金装置の顧客側から見た背面図である。
【図５】ＰＯＳ端末における各部の電気的接続のブロック図である。
【図６】登録処理モードにおける単独モードとデュアルモードとのモード選択処理を示すフローチャートである。
【図７】単独モードでの処理を示すフローチャートである。
【図８】デュアルモードでの処理を示すフローチャートである。
【図９】デュアルモードでの右側処理と左側処理とを示すフローチャートである。
【図１０】単独モードでのオペレータ用表示器における画面表示例を示す模式図である。
【図１１】単独モードでの顧客用表示器における画面表示例を示す模式図である。
【図１２】デュアルモードでのオペレータ用表示器における画面表示例を示す模式図である。
【図１３】デュアルモードでの顧客用表示器における画面表示例を示す模式図である。
【図１４】デュアルモードでの顧客用表示器における図１３とは別の画面表示例を示す模式図である。
【図１５】デュアルモードでの顧客用表示器における図１３及び図１４とは別の画面表示例を示す模式図である。
【図１６】デュアルモードで発行されたレシートの一例を示す模式図である。
【図１７】硬貨入出金装置及び紙幣入出金装置の斜視図である。
【図１８】硬貨入出金装置の概略的な横断平面図である。
【図１９】その概略的な縦断正面図である。
【図２０】その概略的な縦断側面図である。
【図２１】硬貨入出金装置における各部の電気的接続のブロック図である。
【図２２】ＰＯＳ端末から払出指示信号を受信した場合の処理の流れを示すフローチャートである。
【図２３】紙幣入出金装置の概略的な横断平面図である。
【図２４】その概略的な縦断正面図である。
【図２５】図２３におけるＡＡ線断面図である。
【図２６】図２３におけるＢＢ線断面図である。
【図２７】紙幣入出金装置における各部の電気的接続のブロック図である。
【図２８】ＰＯＳ端末から払出指示信号を受信した場合の処理の流れを示すフローチャートである。
【符号の説明】
１０７      オペレータ用表示器
１０７Ｒ、１２０Ｒ      右側表示領域
１０７Ｌ、１２０Ｌ      左側表示領域
１０９ａ、１１０ａ、１１１ａ      第１の入力手段
１０９ｂ、１１０ｂ、１１１ｂ      第２の入力手段
１１６ａ      第１の締めキー
１１６ｂ      第２の締めキー
１２０      顧客用表示器
Ｓ３０２      表示手段
Ｓ３５１〜３６１      締め手段
【図１】
2004234575.tif 000003
【図２】
2004234575.tif 000004
【図３】
2004234575.tif 000005
【図４】
2004234575.tif 000006
【図５】
2004234575.tif 000007
【図６】
2004234575.tif 000008
【図７】
2004234575.tif 000009
【図８】
2004234575.tif 000010
【図９】
2004234575.tif 000011
【図１０】
2004234575.tif 000012
【図１１】
2004234575.tif 000013
【図１２】
2004234575.tif 000014
【図１３】
2004234575.tif 000015
【図１４】
2004234575.tif 000016
【図１５】
2004234575.tif 000017
【図１６】
2004234575.tif 000018
【図１７】
2004234575.tif 000019
【図１８】
2004234575.tif 000020
【図１９】
2004234575.tif 000021
【図２０】
2004234575.tif 000022
【図２１】
2004234575.tif 000023
【図２２】
2004234575.tif 000024
【図２３】
2004234575.tif 000025
【図２４】
2004234575.tif 000026
【図２５】
2004234575.tif 000027
【図２６】
2004234575.tif 000028
【図２７】
2004234575.tif 000029
【図２８】
2004234575.tif 000030